(57)【要約】  【課題】非接触式端末を用いて商品を購入できる自動販売機に関して、非接触式端末による飲料販売の際に割引販売を行う。  【解決手段】非接触式端末データ読込み手段１と、割引額データ記憶手段２と、販売可能判定手段３と、商品選択手段４と、商品搬出手段５と演算制御部６ａとしたことにより、非接触式端末データ読込み手段１から割引額データを受信した場合、演算制御部６ａは割引額データ記憶手段２に記憶させ、販売可能判定手段３により入金を確認して販売可能となったコラムの商品選択手段４が操作されることで、商品搬出手段５に指令を出して商品を搬出して割引販売を行うことができ、商品購入者の購買意欲を高め販売促進を行うことができる。【選択図】図１
2007018134.tif 000002
【特許請求の範囲】
【請求項１】
非接触式端末のデータを読込む非接触式端末データ読込み手段と、前記非接触式端末データ読込み手段からの割引額データを記憶する割引額データ記憶手段と、現金または電子マネー等の入金の有無を確認し入金情報をもとに設定価格から割引額を引いた販売額にて各コラムが販売可能かどうかを判定する販売可能判定手段と、購入商品を選択する商品選択手段と、購入商品を搬出する商品搬出手段とを備え、前記非接触式端末データ読込み手段から割引額データを受信した場合、前記割引額データ記憶手段に記憶し、現金または電子マネー等の入金があった場合、前記販売可能判定手段にて設定価格から割引額を引いた販売額にて販売可能となったコラムの前記商品選択手段が操作されると、前記商品搬出手段により商品を搬出して割引販売を行うことを特徴とした自動販売機の制御装置。
【請求項２】
割引販売を行う時刻かどうかを判定する割引時刻判定手段を備え、前記非接触式端末データ読込み手段から割引時刻データを受信した場合、前記割引時刻判定手段にて割引販売を行うかどうかを判定し、割引時刻のときのみ割引販売を行うことを特徴とした請求項１に記載の自動販売機の制御装置。
【請求項３】
前記非接触式端末読込み手段から受信した購入本数データと予め自動販売機に記憶されている購入本数に対する割引変更額から前記割引額データ記憶手段に記憶されている割引額を変更するかどうかを判定する割引額変更判定手段と、前記割引額データ記憶手段に記憶されている割引額データと割引変更額により割引額とし、前記割引額データ記憶手段に記憶させる割引額変更手段を備え、前記非接触式端末データ読込み手段により購入本数データを受信した場合、前記割引額変更判定手段により割引額を変更するかどうかを判定し、割引額を変更する場合、前記割引額変更手段にて前記割引額データ記憶手段にある割引額データと割引変更額により割引額とし、割引販売を行うことを特徴とした請求項２に記載の自動販売機の制御装置。
【請求項４】
購入本数に対する割引額を変更設定することができる割引変更額設定手段を備え、任意に設定できることを特徴とした請求項３に記載の自動販売機の制御装置。
【請求項５】
選択ボタンに接続されたランプに出力し点灯または点滅させることができる選択ボタンランプ出力手段を備え、割引販売の際に前記選択ボタンランプ出力手段にて出力し、点滅をさせて商品購入者に割引対象コラムを知らせることを特徴とした請求項１から４のいずれか１項に記載の自動販売機の制御装置。
【発明の詳細な説明】
【技術分野】
【０００１】
本発明は、自動販売機における制御装置に関するものである。
【背景技術】
【０００２】
従来の自動販売機における制御装置には、非接触式端末を用いて自動販売機の商品を購入する際の操作が容易にかつ確実に行える制御装置について開示したもの（例えば、特許文献１参照）がある。
【特許文献１】特開２００４−１６４０８９号公報
【発明の開示】
【発明が解決しようとする課題】
【０００３】
しかしながら、前記従来の構成では、非接触式端末で商品を購入した際には割引販売ができないため、商品購入者の非接触式端末による商品購買意欲を高められず販売促進につながりにくいという課題を有していた。
【０００４】
本発明は、前記従来の課題を解決するもので、非接触式端末の割引データを自動販売機が読込むことにより割引販売を行うことで商品購入者の購買意欲を高めることを目的としている。
【課題を解決するための手段】
【０００５】
前記従来の課題を解決するために、本発明の自動販売機の制御装置は、非接触式端末の割引データを自動販売機が読込み、商品販売時にコラムの設定価格から割引額を引いた額を販売額として販売することにより割引販売を行うものである。
【発明の効果】
【０００６】
本発明の自動販売機の制御装置は、非接触式端末の割引データを自動販売機が読込み、商品販売時にコラムの設定価格から割引額を引いた額を販売額として販売することにより割引販売を行うことができ、商品購入者の購買意欲を高め販売促進を行うことができる。
【発明を実施するための最良の形態】
【０００７】
第１の発明は、非接触式端末のデータを読込む非接触式端末データ読込み手段と、前記非接触式端末データ読込み手段からの割引額データを記憶する割引額データ記憶手段と、現金または電子マネー等の入金の有無を確認し入金情報をもとに設定価格から割引額を引いた販売額にて各コラムが販売可能かどうかを判定する販売可能判定手段と、購入商品を選択する商品選択手段と、購入商品を搬出する商品搬出手段とを備え、前記非接触式端末データ読込み手段から割引額データを受信した場合、前記割引額データ記憶手段に記憶し、現金または電子マネー等の入金があった場合、前記販売可能判定手段にて設定価格から割引額を引いた販売額にて販売可能となったコラムの前記商品選択手段が操作されると、前記商品搬出手段により商品を搬出して割引販売を行うことができる。
【０００８】
第２の発明は、特に第１の発明に、割引販売を行う時刻かどうかを判定する割引時刻判定手段を備え、前記非接触式端末データ読込み手段から割引時刻データを受信した場合、前記割引時刻判定手段にて割引時刻データと現在時刻とを比較して割引販売を行うかどうかを判定し、割引時刻のときのみ割引販売を行うことができる。
【０００９】
第３の発明は、特に第２の発明に、前記非接触式端末読込み手段から受信した購入本数データと、予め自動販売機に記憶されている購入本数に対する割引変更額から前記割引額データ記憶手段に記憶されている割引額を変更するかどうかを判定する割引額変更判定手段と、前記割引額データ記憶手段に記憶されている割引額データと割引変更額により割引額とし、前記割引額データ記憶手段に記憶する割引額変更手段を備え、前記非接触式端末データ読込み手段から購入本数データを受信した場合、前記割引額変更判定手段にて割引額を変更するかどうかを判定し、割引額を変更する場合は、前記割引額変更手段にて前記割引額データ記憶手段にある割引額データと割引変更額を演算して割引額とし、前記割引額データ記憶手段に記憶して割引販売を行うことができる。
【００１０】
第４の発明は、特に第３の発明に、購入本数に対する割引額を変更設定することができる割引変更額設定手段を備え、任意に設定できる。
【００１１】
第５の発明は、特に第１から４のいずれか一つの発明に、選択ボタンに接続されたランプに出力し点灯または点滅させることができる選択ボタンランプ出力手段を備え、割引販売の際に前記選択ボタンランプ出力手段にて出力し、点滅をさせて商品購入者に割引対象コラムを知らせることができる。
【００１２】
（実施の形態１）
図１は、本発明の実施の形態１による自動販売機の制御装置の機能ブロック図である。図２は、同実施の形態の自動販売機の制御装置の動作を示すフローチャートである。
【００１３】
図１において、非接触式端末データ読込み手段１は非接触式端末のデータを読込み、割引額データ記憶手段２は非接触式端末データ読込み手段１からの割引額データを記憶し、販売可能判定手段３は現金または電子マネー等の入金の有無を確認し入金情報をもとに設定価格から割引額を引いた販売額にて各コラムが販売可能かどうかを判定し、商品選択手段４は購入商品の選択をし、商品搬出手段５は購入商品の搬出を行う。演算制御部６ａは非接触式端末データ読込み手段１から割引額データを受信した場合、割引額データ記憶手段２に記憶させる。そして現金または電子マネー等の入金があり、販売可能判定手段３にて設定価格から割引額を引いた販売額にて販売可能となったコラムの商品選択手段４が操作されることで、商品搬出手段５により商品を搬出する。
【００１４】
以上のように構成された自動販売機の制御装置について、以下その動作を説明する。
【００１５】
非接触式端末データ読込み手段１にて割引額データが読込まれたかどうかを確認する（ＳＴＥＰ１）。割引額データの読込みがなければ終了、読込まれていれば割引額データを割引額記憶手段２に記憶させる（ＳＴＥＰ２）。販売可能判定手段３にて現金または電子マネー等の入金の有無を確認し入金情報をもとに設定価格から割引額を引いた販売額にて各コラムが販売可能かどうかを判定し（ＳＴＥＰ３）、全コラム販売不可であれば終了、販売可能コラムがあれば購入者の商品選択を待つ。商品選択手段４にて商品が選択された場合（ＳＴＥＰ４）、商品搬出手段５に指令を出して商品を搬出する（ＳＴＥＰ５）。
【００１６】
以上のように本実施の形態の自動販売機の制御装置によれば、非接触式端末の割引データを自動販売機が読込み、商品販売時にコラムの設定価格から割引額を引いた額を販売額として販売することにより割引販売を行うことができる。
【００１７】
（実施の形態２）
図３は、本発明の実施の形態２による自動販売機の制御装置の機能ブロック図である。図４は、同実施の形態の自動販売機の制御装置の動作を示すフローチャートである。なお実施の形態１と同一構成のものは、同一符号を付してその詳細な説明を省略する。
【００１８】
図３において、割引時刻判定手段７は非接触式端末データ読込み手段１から割引額データと割引時刻データを受信した場合、現在時刻と比較して割引販売を行うかどうかを判定する。演算制御部６ｂは非接触式端末データ読込み手段１から割引額データと割引時刻データを受信した場合、割引時刻判定手段７にて割引時刻と現在時刻を比較して割引販売を行うかどうかを判定し、割引販売を行う場合、割引額データを割引額データ記憶手段２に記憶させる。そして現金または電子マネー等の入金があり、販売可能判定手段３にて設定価格から割引額を引いた販売額にて販売可能となったコラムの商品選択手段４が操作されることで、商品搬出手段５に指令を出して商品を搬出する。
【００１９】
以上のように構成された自動販売機の制御装置について、以下その動作を説明する。
【００２０】
非接触式端末データ読込み手段１にて割引額データと割引時刻データが読込まれたかどうかを確認する（ＳＴＥＰ６）。割引額データと割引時刻データの読込みがなければ終了、読込まれていれば割引時刻判定手段７にて割引時刻データと現在時刻を比較して割引時刻かどうかを判定し（ＳＴＥＰ７）、割引時刻でなければ終了、割引時刻であれば割引額データを割引額記憶手段２に記憶させる（ＳＴＥＰ８）。販売可能判定手段３にて現金または電子マネー等の入金の有無を確認し、入金があれば入金情報をもとに設定価格から割引額を引いた販売額にて各コラムが販売可能かどうかを判定し（ＳＴＥＰ９）、全コラム販売不可であれば終了、販売可能コラムがあれば購入者の商品選択を待つ。商品選択手段４にて商品が選択された場合（ＳＴＥＰ１０）、商品搬出手段５に指令を出して商品を搬出する（ＳＴＥＰ１１）。
【００２１】
以上のように本実施の形態の自動販売機の制御装置によれば、非接触式端末の割引データを自動販売機が読込み、割引時刻のときのみ割引販売を行うことができる。
【００２２】
（実施の形態３）
図５は、本発明の実施の形態３による自動販売機の制御装置の機能ブロック図である。図６は、同実施の形態の自動販売機の制御装置の動作を示すフローチャートである。なお実施の形態２と同一構成のものは、同一符号を付してその詳細な説明を省略する。
【００２３】
図５において、割引額変更判定手段８は非接触式端末式データ読込み手段１からの購入本数データと予め自動販売機に記憶されている購入本数に対する割引変更額から割引額データ記憶手段２に記憶されている割引額を変更するかどうかを判定し、割引額変更手段９は割引額データ記憶手段２に記憶されている割引額データと割引変更額を演算して割引額とし、割引額記憶手段２に記憶する。演算制御部６ｃは非接触式端末データ読込み手段１から割引額データと割引時刻データと購入本数データを受信した場合、割引時刻判定手段７にて割引時刻と現在時刻を比較して割引販売を行うかどうかを判定し、割引額変更判定手段８にて非接触式端末データ読込み手段１からの購入本数データが予め決められた購入本数を超えているかどうかを確認して割引額を変更するかどうかを判定する。変更する場合は割引額変更手段９にて額引額データ記憶手段２にある割引額データと割引変更額を演算して割引額とし、割引額データ記憶手段２に記憶させる。そして現金または電子マネー等の入金があり、販売可能判定手段３にて設定価格から割引額を引いた販売額にて販売可能となったコラムの商品選択手段４が操作されることで、商品搬出手段５に指令を出して商品を搬出する。
【００２４】
以上のように構成された自動販売機の制御装置について、以下その動作を説明する。
【００２５】
非接触端末データ読込み手段１にて割引額データと割引時刻データと購入本数データが読込まれたかどうかを確認する（ＳＴＥＰ１２）。割引額データと割引時刻データと購入本数データの読込みがなければ終了、読込まれていれば割引時刻判定手段７にて割引時刻と現在時刻を比較して割引時刻かどうかを判定し（ＳＴＥＰ１３）、割引時刻でなければ終了、割引時刻であれば割引変更判定手段８により非接触式端末データ読込み手段１からの購入本数データから割引額の変更を行うかどうかを判定し（ＳＴＥＰ１４）、変更する場合は割引額変更手段９にて割引額データを変更する（ＳＴＥＰ１５）。
【００２６】
例えばＳＴＥＰ１５で購入本数１０本以上２０本未満の場合、ＳＴＥＰ１２の割引額データに１０円プラスし、２０本以上の場合は２０円プラスして割引額を購入本数によって変えて割引額データを変更しておき、割引額記憶手段２に記憶させる（ＳＴＥＰ１６）。
【００２７】
販売可能判定手段３にて現金または電子マネー等の入金の有無を確認し入金情報をもとに設定価格から割引額を引いた販売額にて各コラムが販売可能かどうかを判定し（ＳＴＥＰ１７）、全コラム販売不可であれば終了し、販売可能コラムがあれば購入者の商品選択を待つ。商品選択手段４にて商品が選択された場合（ＳＴＥＰ１８）、商品搬出手段５に指令を出して商品を搬出する（ＳＴＥＰ１９）。
【００２８】
以上のように本実施の形態の自動販売機の制御装置によれば、非接触式端末の割引データを自動販売機が読込み、購入本数に応じて割引額を変更して割引販売を行うことができる。
【００２９】
（実施の形態４）
図７は、本発明の実施の形態４による自動販売機の制御装置の機能ブロック図である。図８は、同実施の形態の自動販売機の制御装置の動作を示すフローチャートである。なお実施の形態３と同一構成のものは、同一符号を付してその詳細な説明を省略する。
【００３０】
図７において、割引変更額設定手段１０は購入本数データに対する割引変更額を設定することができる。演算制御部６ｄは割引変更額設定手段１０にて割引変更額が設定された場合、購入本数データに対する割引変更額を変更する。非接触式端末データ読込み手段１から割引額データと割引時刻データと購入本数データを受信した場合、割引時刻判定手段７にて割引時刻と現在時刻を比較して割引販売を行うかどうかを判定し、割引額変更判定手段８にて非接触式端末データ読込み手段１からの購入本数データが予め決められた購入本数を超えているかどうかを確認して割引額を変更するかどうかを判定する。変更する場合は割引額変更手段９にて割引額データ記憶手段２にある割引額データと割引変更額設定手段１０にて設定された割引変更額を演算して割引額とし、割引額データ記憶手段２に記憶させる。そして現金または電子マネー等の入金があり、販売可能判定手段３にて設定価格から割引額を引いた販売額にて販売可能となったコラムの商品選択手段４が操作されることで、商品搬出手段５に指令を出して商品を搬出する。
【００３１】
以上のように構成された自動販売機の制御装置について、以下その動作を説明する。
【００３２】
割引変更額設定手段１０にて割引変更額設定の有無を確認し（ＳＴＥＰ２０）、設定があれば割引変更額を変更する（ＳＴＥＰ２１）。例えば購入本数１０本以上２０本未満の場合、割引額データが１０円であったのが、この本数範囲に対する割引額データが１５円と変更される。
【００３３】
非接触式端末データ読込み手段１にて割引額データと割引時刻データと購入本数データが読込まれたかどうかを確認する（ＳＴＥＰ２２）。割引額データと割引時刻データと購入本数データの読込みがなければ終了、読込まれていれば割引時刻判定手段７にて割引時刻と現在時刻を比較して割引時刻かどうかを判定し（ＳＴＥＰ２３）、割引時刻でなければ終了、割引時刻であれば割引変更判定手段８により非接触式端末データ読込み手段１からの購入本数データから割引額の変更を行うかどうかを判定し（ＳＴＥＰ２４）、変更する場合は割引額変更手段９にて割引額データを変更し（ＳＴＥＰ２５）、割引額記憶手段２に記憶させる（ＳＴＥＰ２６）。販売可能判定手段３にて現金または電子マネー等の入金の有無を確認し入金情報をもとに設定価格から割引額を引いた販売額にて各コラムが販売可能かどうかを判定し（ＳＴＥＰ２７）、全コラム販売不可であれば終了し、販売可能コラムがあれば購入者の商品選択を待つ。商品選択手段４にて商品が選択された場合（ＳＴＥＰ２８）、商品搬出手段５に指令を出して商品を搬出する（ＳＴＥＰ２９）。
【００３４】
以上のように本実施の形態の自動販売機の制御装置によれば、購入本数データに対する割引変更額を任意に変更することができ、商品が所定期間を過ぎても売れ残り本数が所定数よりも多い場合、賞味期限に近づいた商品等を割引販売することで、販売の促進を図ったり、オペレーターの意に即した割引販売を行うことができる。
【００３５】
（実施の形態５）
図９は、本発明の実施の形態５による自動販売機の制御装置の機能ブロック図である。図１０は、同実施の形態の自動販売機の制御装置の動作を示すフローチャートである。なお実施の形態４と同一構成のものは、同一符号を付してその詳細な説明を省略する。
【００３６】
図９において、選択ボタンランプ出力手段１１は選択ボタンに接続されたランプに出力し点灯または点滅させる。演算制御部６ｅは割引変更額設定手段１０にて割引変更額が設定された場合、購入本数データに対する割引変更額を変更する。そして非接触式端末データ読込み手段１から割引額データと割引時刻データと購入本数データを受信した場合、割引時刻判定手段７にて割引時刻と現在時刻を比較して割引販売を行うかどうかを判定し、割引額変更判定手段８にて非接触式端末データ読込み手段１からの購入本数データが予め決められた購入本数を超えているかどうかを確認して割引額を変更するかどうかを判定する。変更する場合は割引額変更手段９にて割引額データ記憶手段２にある割引額データと割引変更額設定手段１０にて設定された割引変更額を演算して割引額とし、割引額データ記憶手段２に記憶させる。そして販売可能判定手段３にて現金または電子マネー等の入金があった場合、設定価格から割引額を引いた販売額にて販売可能となったコラムの選択ボタンランプを選択ボタンランプ出力手段１１にて点灯させ、割引対象コラムを点滅させる。販売可能コラムとなった商品選択手段４が操作されることで、商品搬出手段５に指令を出して商品を搬出する。
【００３７】
以上のように構成された自動販売機の制御装置について、以下その動作を説明する。
【００３８】
割引変更額設定手段１０にて割引変更額設定の有無を確認し（ＳＴＥＰ３０）、設定があれば割引変更額を変更する（ＳＴＥＰ３１）。非接触端末データ読込み手段１にて割引額データと割引時刻データと購入本数データが読込まれたかどうかを確認する（ＳＴＥＰ３２）。割引額データと割引時刻データと購入本数データの読込みがなければ終了、読込まれていれば割引時刻判定手段７にて割引時刻と現在時刻を比較して割引時刻かどうかを判定し（ＳＴＥＰ３３）、割引時刻でなければ終了、割引時刻であれば割引変更判定手段８により非接触式端末データ読込み手段１からの購入本数データから割引額の変更を行うかどうかを判定し（ＳＴＥＰ３４）、変更する場合は割引額変更手段９にて割引額データを変更し（ＳＴＥＰ３５）、割引額記憶手段２に記憶させる（ＳＴＥＰ３６）。販売可能判定手段３にて現金または電子マネー等の入金の有無を確認し入金情報をもとに設定価格から割引額を引いた販売額にて各コラムが販売可能かどうかを判定し（ＳＴＥＰ３７）、全コラム販売不可であれば終了し、販売可能コラムがあれば、販売可能となったコラムの選択ボタンランプを選択ボタンランプ出力手段１１にて購入可能コラムは点灯、割引対象コラムは点滅させ購入者の商品選択を待つ（ＳＴＥＰ３８）。商品選択手段４にて商品が選択された場合（ＳＴＥＰ３９）、商品搬出手段５に指令を出して商品を搬出する（ＳＴＥＰ４０）。
【００３９】
以上のように本実施の形態の自動販売機の制御装置によれば、割引販売の際に前記選択ボタンランプ出力手段にて出力し、点滅をさせて商品購入者に割引対象コラムを知らせることができる。また最近では自動販売機の正面にモニター（図示しない）の表示部が備えられており、そのモニターに割引販売の時間帯、あるいは特定時期（ホット商品からコールド商品に変わる時期）の特定期間のみ割引する商品の表示や割引価格を表示することで消費者へのアピールを行うことができ、自動販売機による商品購入の販売促進を図ることができる。
【産業上の利用可能性】
【００４０】
本発明にかかる自動販売機の制御装置は、商品販売時にコラムの設定価格から割引額を引いた額を販売額として販売することにより割引販売を行うことができ、商品購入者の購買意欲を高め販売促進を行うことができるので、多様な商品、サービスの販売機器に適用できる。
【図面の簡単な説明】
【００４１】
【図１】本発明による自動販売機の制御装置の実施の形態１の機能ブロック図
【図２】同実施の形態による自動販売機の制御装置の動作を示すフローチャート
【図３】本発明による自動販売機の制御装置の実施の形態２の機能ブロック図
【図４】同実施の形態による自動販売機の制御装置の動作を示すフローチャート
【図５】本発明による自動販売機の制御装置の実施の形態３の機能ブロック図
【図６】同実施の形態による自動販売機の制御装置の動作を示すフローチャート
【図７】本発明による自動販売機の制御装置の実施の形態４の機能ブロック図
【図８】同実施の形態による自動販売機の制御装置の動作を示すフローチャート
【図９】本発明による自動販売機の制御装置の実施の形態５の機能ブロック図
【図１０】同実施の形態による自動販売機の制御装置の動作を示すフローチャート
【符号の説明】
【００４２】
１    非接触式端末データ読込み手段
２    割引額データ記憶手段
３    販売可能判定手段
４    商品選択手段
５    商品搬出手段
６ａ，６ｂ，６ｃ，６ｄ，６ｅ  演算制御部
７    割引時刻判定手段
８    割引額変更判定手段
９    割引額変更手段
１０  割引変更額設定手段
１１  選択ボタンランプ出力手段
【図１】
2007018134.tif 000003
【図２】
2007018134.tif 000004
【図３】
2007018134.tif 000005
【図４】
2007018134.tif 000006
【図５】
2007018134.tif 000007
【図６】
2007018134.tif 000008
【図７】
2007018134.tif 000009
【図８】
2007018134.tif 000010
【図９】
2007018134.tif 000011
【図１０】
2007018134.tif 000012